(57)【要約】【課題】  車椅子の浴槽への挿入、また分離が非常に少ない操作で済み、操作の順序及び操作方法などを理解しやすく、それぞれの固定・係止や解除に手間取ることもなく、介護者に負担をかけずに済み、部品点数も少ない、コストの掛からない介護用浴槽システムを提供する。【解決手段】チェアユニット３の台車部２１に、チェアユニット３と浴槽ユニット２との固定及びチェアユニット３の台車部２１と椅子部１１との解除、またチェアユニット３の台車部２１と椅子部１１との固定並びにチェアユニット３と浴槽ユニット２との解除が同時にできるロック＆解除装置を設けると共に、チェアユニット３の椅子部１１に、チェアユニット３の椅子部１１と浴槽４との固定及び解除が簡単にできる機構をチェアユニット３にそれぞれ設けた介護用浴槽システム１とした。【選択図】図１
2005185440.tif 000002
【特許請求の範囲】
【請求項１】
椅子部を所定の支持位置へ案内可能な案内部を備えた介護用の浴槽と、移動可能な台車部上に、案内部に進入可能な被案内部を有した椅子部を、第１の固定／解除機構を介して着脱可能に載置したチェアユニットとからなり、浴槽と椅子部との間に、椅子部の所定の支持位置で両者を連結可能な第２の固定／解除機構を設けた介護用浴槽システムであって  
、
浴槽ユニットとチェアユニットとの間に、チェアユニットと浴槽ユニットの所定の進入部との当接によって第１の固定機構を解除する連係機構を設けて、チェアユニットに、第１の固定機構を任意に固定動作可能な固定操作手段を設ける一方、
第２の固定機構の固定及び解除動作を、椅子部へ角度変更可能に設けたフットレストの動作に連動させたことを特徴とする介護用浴槽システム。
【請求項２】
第１の固定機構が、台車部に出没自在に設けられ、突出状態で椅子部と係合可能なロックピンを有し、連係機構が、台車部に設けられ、浴槽進入部に設けた連結バーと当接可能な連結フックと、連結バーと連結フックとの当接によってロックピンを台車部へ没入動作させるリンク機構とからなる請求項１に記載の介護用浴槽システム。
【請求項３】
第２の固定機構が、浴槽内に固定される椅子固定用フックと、フットレストに連結され、フットレストの所定の角度で固定用フックに係止するスライドロックバーとからなる請求項１または２に記載の介護用浴槽システム。
【請求項４】
前記浴槽ユニットの浴槽とチェアユニットの椅子部との固定又は解除を、前記チェアユニットの椅子部に設けられているフットレストが回動自在に装着され、そのフットレストの回動により摺動するスライドロックバーが、浴槽内に固着されている椅子固定用フックに係止するように設けたことを特徴とする請求項１乃至３に記載の介護用浴槽システム。
【請求項５】
前記フットレストの根元に歯を切ったギヤを装着し、そのギヤに噛み合う爪を設け、前記フットレストとの角度を変えることができるようにしたチェアユニットを設けたことを特徴とする請求項１乃至４に記載の介護用浴槽システム。
【請求項６】
前記ロック＆解除装置の固定＆解除状態の保持を、弾性体を用いて保持することを特徴とする請求項1乃至５に記載の介護用浴槽システム。
【発明の詳細な説明】
【技術分野】
【０００１】
本発明は、体に不自由な方や老人などの入浴に供されるスライド式分離車椅子を用いた介護用浴槽システムに関する。
【背景技術】
【０００２】
この種の入浴装置としては、これまでに特許文献１、特許文献２に記載の技術が知られている。
特許文献１に記載の入浴装置は、扉が設けられる浴槽と、座席部が台車部からスライドして分離される車椅子とから構成され、入浴時には、座席部だけが浴槽の湯内に入り、台車部は浴槽の湯外にあるものであり、入浴の際には患者を乗せた車椅子を浴槽の開口部に当接させる。当接時には台車係止具が自動的に係止受け具に掛り、台車部が浴槽に係止される。次に、掛止ピンを上に引いて座席部と台車部の掛止を解除し、前取手を持って座席部のみを浴槽へ押し込み扉を閉め患者を入浴させる。入浴し終えたならば、湯を抜き、扉を開け、座席部を前取手を持って引き出し浴槽から台車部へ移乗させる。座席部が槽内ガイドから台車ガイドへ移乗し終わると、掛止ピンを掛止穴に掛け、座席部を掛止する。次に操作具を踏んで台車係止具を係止受け具から外し、車椅子を浴槽から引き離すようになっている。
【０００３】
また、特許文献２に記載の入浴装置は、簡単に説明すると椅子部の着脱、固定浴槽から台車の離脱を、それぞれピン着脱ペダル、車椅子解除ペダルを踏むという操作でできると言うものである。
【０００４】
【特許文献１】特開平１１―２２１２６２公報
【特許文献２】特開２００３―１１６９５５号
【発明の開示】
【発明が解決しようとする課題】
【０００５】
上記特許文献１に記載の入浴装置の場合、入浴時座席部と台車部の係止を解除し浴槽に押し込み座席部と浴槽を係止ピンで係止する動作が、また入浴後座席部と浴槽との係止を解除する動作及び座席部と台車部との係止動作並びに操作具を踏んで車椅子を浴槽から引き離す動作が必要で、それぞれの操作を行うのに個々に操作部があるので、介護者はその度に動作を変えなくてはならず手間であった。そして、それぞれの操作をするのにその順序及び操作方法などを理解するのが面倒で、手間取ることがあり、被介護者を待たせて体を冷やすなどの苦情が出ていた。また、連結機構の部品点数も比較的多くなりコストアップに繋がっていた。
【０００６】
特許文献２に記載の入浴装置の場合も、椅子部の着脱、固定浴槽から台車の離脱を、それぞれピン着脱ペダル、車椅子解除ペダルを踏むという操作が必要となっており、上記特許文献１と同様それぞれの操作を行うのに個々に操作部があり、介護者はその度に動作を変えなくてはならず手間であった。そして、それぞれの操作をするのにその順序及び操作方法などを理解するのが面倒で、手間取ることがあり、被介護者を待たせて体を冷やすなどの苦情が出ており、また連結機構の部品点数も比較的多くなりコストアップに繋がっていた。尚、浴槽と椅子部の固定動作がないので被介護者は入浴中不安定な状態に置かれていた。
【０００７】
そこで、本発明は上記問題点に鑑み請求項１ないし請求項３に記載の発明は、簡単な構造で、介護者にとって採作性が良く、負担の少ないシステムを提供することを目的としたものである。
【０００８】
また、請求項４に記載の発明も、簡単な構造で、介護者にとって採作性が良く、負担の少ないシステムを提供することを目的としたものである。
【０００９】
また、請求項５に記載の発明は、フットレストの根元に歯を切ったギヤを装着し、そのギヤに噛み合う爪を設け、前記フットレストとの角度を変えることができるようにしたチェアユニットを設けた介護用浴槽システムを提供することを目的としたものである
【００１０】
更に、請求項６に記載の発明は、ロック＆解除装置の固定＆解除状態の保持を、弾性体を用いて確実に保持する介護用浴槽システムを提供することを目的としたものである。    
【課題を解決するための手段】
【００１１】
上記課題を解決するため、請求項１の発明は、椅子部を所定の支持位置へ案内可能な案内部を備えた介護用の浴槽と、移動可能な台車部上に、案内部に進入可能な被案内部を有した椅子部を、第１の固定／解除機構を介して着脱可能に載置したチェアユニットとからなり、浴槽と椅子部との間に、椅子部の所定の支持位置で両者を連結可能な第２の固定／解除機構を設けた介護用浴槽システムであって、
浴槽とチェアユニットとの間に、チェアユニットと浴槽の所定の進入部との当接によって第１の固定機構を解除する連係機構を設けて、チェアユニットに、第１の固定機構を任意に固定動作可能な固定操作手段を設ける一方、
第２の固定機構の固定及び解除動作を、椅子部へ角度変更可能に設けたフットレストの動作に連動させたことを特徴とする。
【００１２】
上記目的を達成するために、請求項２の発明は、上記発明において、第１の固定機構が、台車部に出没自在に設けられ、突出状態で椅子部と係合可能なロックピンであり、連係機構が、台車部に設けられ、浴槽進入部に設けた連結バーと当接可能な連結フックと、連結バーと連結フックとの当接によってロックピンを台車部へ没入動作させるリンク機構とからなることを特徴とする。
【００１３】
上記目的を達成するために、請求項３の発明は、上記発明において、第２の固定機構が、浴槽内に固定される椅子固定用フックと、フットレストに連結され、フットレストの所定の角度で固定用フックに係止するスライドロックバーとからなることを特徴とする。
【００１４】
上記目的を達成するために、請求項４の発明は、上記発明において、浴槽ユニットの浴槽とチェアユニットの椅子部との固定又は解除を、前記チェアユニットの椅子部に設けられているフットレストが回動自在に装着され、そのフットレストの回動により摺動するスライドロックバーが、浴槽内に固着されている椅子固定用フックに係止するように設けたことを特徴とする。
【００１５】
上記目的を達成するために、請求項５の発明は、上記発明において、フットレストの根元に歯を切ったギヤを装着し、そのギヤに噛み合う爪を設け、フットレストとの角度を変えることができるようにしたチェアユニットを設けたことを特徴とする。
【００１６】
上記目的を達成するために、請求項６の発明は、上記発明において、ロック＆解除装置の固定＆解除状態の保持を、弾性体を用いて保持することを特徴とする。            
【発明の効果】
【００１７】
以上詳述したように、本発明によれば、比較的に簡単な構造なので、車椅子の浴槽への挿入、また分離が非常に少ない操作で済むので、操作の順序及び操作方法などを理解しやすく、それぞれの固定・係止や解除に手間取ることもなく、介護者に負担をかけずに済む。更に被介護者を待たせて体を冷やすなどということもない。また部品点数も少ないのでコストの掛からない介護用浴槽システムを提供することができる、という効果を奏する。
【発明を実施するための最良の形態】
【００１８】
以下、本発明を具体化した実施の形態を、図面に基づいて詳細に説明する。図１は本発明に係わる介護用浴槽システムを示す全体図であり、本発明の介護用浴槽システム１は浴槽ユニット２とチェアユニット３とからなっている。浴槽ユニット２は浴槽４及び支持台５とからなり、浴槽４は浴槽４の左右側面のほぼ中央に揺動支点軸６、６が設けられ、支持台５の前脚７、７と後脚８、８の上端部にある軸受部９、９に回動自在に枢着されている。浴槽４は、浴槽４の外部下面（図示せず）と支持台５の後脚８、８の間にあるパイプ（図示せず）との間に水圧シリンダ（図示せず）が取り付けられており、この水圧シリンダ（図示せず）の伸縮にて浴槽４が揺動するようになっている。
【００１９】
また、浴槽４の内部両側面付近には浴槽ガイドレール１０、１０が設けられており、チェアユニット３の椅子部１１のスライドローラ１２とガイドローラ１３が進入し椅子部１１が装着されるようになっている。１４は椅子固定用フックで前記椅子部１１を浴槽４に固定できるよう固着されている。
【００２０】
前記支持台５の前脚７、７の前方には、コ字状の連結バンパー１５が突設されている。尚、連結バンパー１５の前方下部には、連結支持板１６、１６が各々溶着され、その連結支持板１６、１６間には後述する椅子部１１の連結フック１７が掛かるように連結バー１８が溶着されている。また連結支持板１６、１６の外側にはそれぞれのロック爪１９、１９が接するように固定カム２０、２０が溶着されている。
【００２１】
図２において、チェアユニット３は、台車部２１と椅子部１１とからなり台車部２１と椅子部１１が分離するようになっている。前記台車部２１は前後のフレーム２２、２２と連結パイプ２３、２４とで繋がれ構成されており、前記フレーム２２、２２の右側下端にはキャスター２５、２５が、また左側下部には車輪２６、２６がそれぞれ取り付けられ、チェアユニット３が移動可能なようになっている。台車部２１の上部の前後端に平行にガイドレール２７、２７が設けられており、椅子部１１の下部にあるシートフレーム２８の前後にあるスライドローラ１２とガイドローラ１３が進入されるようになっている。                                                                    
【００２２】
また、前後のフレーム２２、２２には、それぞれロック＆解除装置２９、２９が装着されており、椅子部１１を係止するロックピン３０、３０や浴槽ユニット２とチェアユニット３とを係止する連結フック１７、１７が装着されている。
【００２３】
前記ロック＆解除装置２９、２９を詳しく説明をするが、説明は片側のみ説明をする。台車部２１の上部にてロックピン３０の上端部が椅子部１１の係止孔６８と係止し、ロックピン３０はその下端部がほぼ三角形をした回転リンク３１の一辺３２に回動自在に軸着されている。また、リンクロッド３３にて前記回転リンク３１の他辺部３４と連結フック１７の前端部３５とをそれぞれ軸支し回動可能なようにそれぞれ連結されている。回転リンク３１は支持板３６の支持軸３７に回転可能に軸着されており、また回転リンク３１の頭部３８にバネ３９が取り付けられ、回転リンク３１のトグル動作をしている。
【００２４】
回転リンク３１のトグル動作の規制については、右回転方向の規制の場合は回転リンク３１の頭部３８の側面がストッパー４０に、左回転方向の規制の場合は回転リンク３１の他辺部３４の側面が同ストッパー４０にあたり、回転リンク３１の動きを規制している。尚、回転リンク３１の他辺部３４には解除レバー４１が（片側のみ）溶着され、この解除レバー４１に手動で回転リンク３１を操作してロックピン３０及び連結フック１７を操作できるようになっている。
【００２５】
前記連結フック１７は略Ｊ字状の形をしており、その連結フック１７の中間部にて連結フック１７が回動するよう側板４２のステ―４３に軸４４にて軸着されている。また、連結フック１７は連結フック１７の後端上部４５にて連結バンパー１５に溶着されている固定カム２０と当接するように設けられ、パイプ４６で左右の連結フック１７、１７を連結している。ギヤ４７は連結フック１７に溶着されており軸４４を中心に連結フック１７と共に回動し、前記側板４２のステ―４３にある軸４８にて軸支されているロック爪１９と噛み合うことで、連結フック１７が勝手に回動しロックピン３０が抜けチェアユニット３の台車部２１と椅子部１１が分離されないようにしている。
【００２６】
ローラ４９は前記側板４２のステ―４３の上に回転自在に軸支され、連結バンパー１５の下面を受け、またロック爪１９の反転を防止している。
【００２７】
図３・図４において、チェアユニット３の椅子部１１を説明すると、椅子部１１の下部のシートフレーム２８にはシートフレーム２８の左右側部にてスライドローラ１２とガイドローラ１３が回転可能なようにスライド枠５０を介し装着されている。
【００２８】
フットレスト５１は被介護者の足を受けられるようになっており、回動可能なように椅子部１１の下部のシートフレーム２８前部左右にて軸着されている。フットレスト５１の回動部根元５２、５２にはラチェットギヤ５３、５３がロールピン５４、５４で固定され、一体となって回動をするようになっている。
【００２９】
また、フットレスト５１の回動部根元５２、５２には、浴槽４の椅子固定用フック１４に掛かるスライドロックバー５５がフットレスト５１の回動部根元５２、５２から出ているプレートの軸５６、５６とで回動自在に軸支されフットレスト５１と連動するようになっている。
【００３０】
ラチェット爪５７、５７はラチェットスライドバー５８と一体に組み付けられており、フック解除レバー５９を引くことによりフック解除レバー５９と一体になっているラチェットバー６０及びラチェットスライドバー５８を介し、ラチェット爪５７、５７はラチェットギヤ５３、５３から外れフットレスト５１は下に下げられるようになっている。また、フック解除レバー５９を手から離せば、ラチェットばね６７によってラチェット爪５７、５７はラチェットギヤ５３、５３に係止するようになっている。尚、フットレスト５１を上にあげたい場合は、フットレスト５１をそのまま上に持上げればラチェット機構６１、６１が働き保持できるようになっている。
【００３１】
また、前記シートフレーム２８の上には座部シート６２が取り付けられ、被介護者（図示せず）が座れるように装着されている。また、被介護者（図示せず）の背中にはバックレスト６３が椅子部１１下部のシートフレーム２８後部の左右に回動可能なように軸着され、ロックロッド６４を引き上げることにより被介護者（図示せず）にあった角度にバックレスト６３の角度を変えられるようになっている。
【００３２】
介護者（図示せず）が被介護者（図示せず）を浴槽４に入浴させる際、チェアユニット３を浴槽４に押し入れる時握る操作アーム６５が、前記バックレスト６３の左右に回動可能なように軸着されている。
【００３３】
このように成る介護用浴槽システム１の動作について説明をする。介護者（図示せず
）は被介護者（図示せず）を乗せたチェアユニット３を、浴槽ユニット２の前まで移動させ、チェアユニット３の向きを反転させ被介護者（図示せず）の背を浴槽ユニット２に向ける。次に操作アーム６５を握りチェアユニット３を浴槽ユニット２の進入部６６に押し込む。
【００３４】
その際にチェアユニット３の台車部２１の下部にあるローラ４９が連結バンパー１８の下面を確実に受けながら奥へ挿入され、固定カム２０とロック爪１９が接する所まで進む。そして、固定カム２０に接したロック爪１９はチェアユニット３が浴槽４側へ進むことにより固定カム２０によってロック爪１９が持上げられ、ロック爪１９とギヤ４７との噛み合いが解除される。
【００３５】
更にチェアユニット３が浴槽４側へ進むと、固定カム２０により連結フック１７の後端上部４５が当接し軸４４を中心に回転させられ、連結フック１７が連結バー１８を保持する形になる、即ち、チェアユニット３が浴槽ユニット２へ固定されることになる。
【００３６】
これと同時に連結フック１７に取り付けられたリンクロッド３３が、連結フック１７の回転により上方向へ押し上げられ、回転リンク３１はリンクロッド３３の上方向の動きにより支持軸３７を中心に左側へ回転させられ、ロックピン３０が下方向へ下がる。従って、ロックピン３０が下がることにより、椅子部１１と台車部２１の固定が解除され、椅子部１１が浴槽４への移動可能な状態となる。
【００３７】
チェアユニット３が浴槽４へ連結する際は、チェアユニット３のフットレスト５１を上に持上げ、操作アーム６５にて椅子部１１にあるスライドローラ１２及びガイドローラ１３を浴槽４のガイドレール１０に挿入させ奥まで押し込み、チェアユニット３の椅子部１１に設けられているフック解除レバー５９を操作し、フットレスト５１を浴槽４内下面まで下げることにより浴槽４と椅子部１１が固定され、浴槽４の椅子固定用フック１４にスライドロックバー５５が係止し、椅子部１１は浴槽４に固定される。
【００３８】
次に、浴槽４を水圧シリンダ（図示せず）を操作して、水平に回動しお湯を入れ、被介護者を入浴させる。入浴を終えたならばお湯を抜き、浴槽４を水圧シリンダ（図示せず）を操作して、元の位置に回動をし、被介護者（図示せず）を浴槽４から退出させる準備を行う。
【００３９】
フットレスト５１を上に持上げ、操作アーム６５にて椅子部１１を浴槽４の奥から引き出し、椅子部１１を台車部２１まで戻す。次に解除レバー４１を押し下げロック＆解除装置２９、２９を作動させ、台車部２１と椅子部１１の固定、チェアユニット３と浴槽ユニット２との固定解除を同時に行い、チェアユニット３を移動させ被介護者の入浴を終える。
【００４０】
以上の介護用浴槽システム１では、次に示すような効果を奏する。
【００４１】
即ち、介護用浴槽システム１は、介護用の浴槽ユニット２に着脱可能な椅子部１１を有するチェアユニット３に被介護者（図示せず）を乗せ前記浴槽ユニット２に移乗する介護用浴槽システム１において、入浴時においては被介護者（図示せず）を乗せた前記チェアユニット３を前記浴槽ユニット２の進入部６６に差し込むだけで前記浴槽ユニット２にチェアユニット３が固定され、前記チェアユニット３の台車部２１と椅子部１１との固定が解除できると共に、入浴完了時においては、椅子部１１を浴槽４の奥から引き出し、前記チェアユニット３の解除レバー４１を操作することによりチェアユニット３の椅子部１１が台車部２１に固定され、前記チェアユニット３と前記浴槽ユニット２との固定を解除できるロック＆解除装置２９（請求項１にある固定操作手段）を台車部２１に、また前記チェアユニット３の椅子部１１を浴槽４の奥まで進入させ、前記チェアユニット３の椅子部１１に設けられているフック解除レバー５９を操作しフットレスト５１を浴槽４内下面まで下げることにより浴槽４と椅子部１１が固定され、入浴完了時においては、フットレスト５１を持上げることによって浴槽４とチェアユニット３の椅子部１１とが固定解除できる機構を椅子部１１に、それぞれ台車部２１と椅子部１１に設けたチェアユニット３を有する介護用浴槽システム１とすることができる。
【００４２】
また、介護用浴槽システム１において、ロック＆解除装置２９（請求項１にある固定操作手段）は、浴槽ユニット２とチェアユニット３との固定又は解除方法は浴槽ユニット２の進入部６６に設けた連結バー１８とチェアユニット３の台車部２１に設けられている連結フック１７とによりされ、また前記チェアユニット３の台車部２１と椅子部１１との固定又は解除方法はチェアユニット３の台車部２１上部に設けられているロックピン３０とによってされ、それら連結フック１７及びロックピン３０を回転リンク３１を介しリンクロッド３３にて連結し、ロック＆解除装置２９を手動操作時のみにそれらが進入時の動作とは逆の動作をするようにしたので、簡単な操作でそれぞれの確実に固定又は解除ができる介護用浴槽システム１において上記効果をもたらすことができる。
【００４３】
また、介護用浴槽システム１において、ロック＆解除装置２９（請求項１にある固定操作手段）が、リンク機構から成るようにしたので、介護用浴槽システム１において上記効果をもたらすことができる。
【００４４】
更に、介護用浴槽システム１において、浴槽ユニット２の浴槽４とチェアユニット３の椅子部１１との固定又は解除（請求項１にある第２の固定機構）を、前記チェアユニット３の椅子部１１に設けられているフットレスト５１が回動自在に装着され、そのフットレスト５１の回動により摺動するスライドロックバー５５が、浴槽４内に固着されている椅子固定用フック１４に係止するように設け、浴槽ユニット２の浴槽４とチェアユニット３の椅子部１１との固定又は解除を、チェアユニット３の椅子部１１に設けられているフットレスト５１の回動により簡単に行うことができるようにしたので、介護用浴槽システム１において上記効果をもたらすことができる。
【００４５】
また更に、介護用浴槽システム１において、フットレスト５１の根元に歯を切ったギヤ４７を装着し、そのギヤ４７に係止するラチェット爪５７を設け、前記フットレスト５１との角度を確実に変えることができる介護用浴槽システム１において上記効果をもたらすことができる。
【００４６】
加えて、介護用浴槽システム１において、ロック＆解除装置２９（請求項１にある第１の固定機構）の固定＆解除状態の保持を、弾性体３９を用いて確実に保持することができる介護用浴槽システム１において上記効果をもたらすことができる。
【００４７】
本発明は上記実施形態に限定されず、実施例ではロック＆解除装置２９を左右のフレームに設けたが片方だけでもよく、連結フックの形状もＵの字や鏃形状などでもよく、また回転リンクも楕円や凹状などのものにしてもよい。
なお、上記実施例を変更した又は詳細化し本発明の趣旨を実施できる形態があることはいうまでもない。
【図面の簡単な説明】
【００４８】
【図１】本発明の介護用浴槽システムを表した全体図である。
【図２】チェアユニットの台車部と浴槽ユニットとの係止解除状態及びチェアユニットの台車部と椅子部との係止状態を表した側面図である。
【図３】チェアユニットの椅子部の側面断面図である。
【図４】図３におけるチェアユニットの椅子部の平面図（一部断面表示あり）である。
【図５】チェアユニットの台車部と浴槽ユニットとの係止状態及びチェアユニットの台車部と椅子部との係止解除状態を表した側面図である。
【図６】本発明の介護用浴槽システムの使用（入浴）時を表した全体側面図である。
【図７】チェアユニットの台車部と椅子部（一部断面表示あり）の正面図である。
【符号の説明】
【００４９】
１    介護用浴槽システム      
２    浴槽ユニット          
３    チェアユニット
４    浴槽
１１  椅子部      
１４  椅子固定用フック  
１７  連結フック  
１８  連結バー
１９  ロック爪  
２０  固定カム  
２１  台車部                        
２９  ロック＆解除手段
３０  ロックピン  
３１  回転リンク
３５  連結フック１６の前端部  
３９  バネ                
４１  解除レバー              
４５  連結フック１７の後端上部    
５１  フットレスト  
５９  フック解除レバー    
６６  進入部  
【図１】
2005185440.tif 000003
【図２】
2005185440.tif 000004
【図３】
2005185440.tif 000005
【図４】
2005185440.tif 000006
【図５】
2005185440.tif 000007
【図６】
2005185440.tif 000008
【図７】
2005185440.tif 000009